(57)【要約】【課題】Ｔ１専用線方式の通信装置ＰＢＸ／ＩＡＤを、日本仕様のデジタル交換機に接続する場合、音声品質が劣化せず、エコーが増大せず、アナログ変換時に布線作業を必要としないようにする。【解決手段】デジタル交換機からＴ１専用線方式の通信装置へ向う多重化信号から分離された第１のデジタル音声信号は変換せずに、上記多重化信号から分離された呼制御信号を対応するＣＡＳ信号に変換し、上記分離された第１のデジタル音声信号と上記変換されたＣＡＳ信号とを再多重化し、Ｔ１専用線インタフェース上に送出し、一方、Ｔ１専用線方式の通信装置からデジタル交換機へ向う信号から加入者回線毎に分離された第２のデジタル音声信号は変換せずに、上記信号から分離されたＣＡＳ信号をＣＡＳ信号対応の監視信号に変換し、第２のデジタル音声信号と変換されたＣＡＳ信号対応の監視信号とを再多重化し、交換機インタフェース上に送出する。【選択図】　図１
2004007224.tif 000002
【特許請求の範囲】
【請求項１】
デジタル交換機と、上記デジタル交換機における加入者回線対応信号方式とは異なるＴ１専用線方式の通信装置とを接続する加入者回線対応方式変換装置において、
上記デジタル交換機から上記Ｔ１専用線方式の通信装置へ向う多重化信号から、第１のデジタル音声信号と呼制御信号とを、加入者回線毎に分離し、上記分離された第１のデジタル音声信号は変換せずに、上記分離された呼制御信号を対応するＣＡＳ信号に変換し、上記分離された第１のデジタル音声信号と上記変換されたＣＡＳ信号とを再多重化し、Ｔ１専用線インタフェース上に送出し、一方、上記Ｔ１専用線方式の通信装置から上記デジタル交換機へ向う信号から、第２のデジタル音声信号とＣＡＳ信号とを、加入者回線毎に分離し、この分離された第２のデジタル音声信号は変換せずに、上記分離されたＣＡＳ信号をＣＡＳ信号対応の監視信号に変換し、上記第２のデジタル音声信号と上記変換されたＣＡＳ信号対応の監視信号とを再多重化し、交換機インタフェース上に送出することを特徴とする加入者回線対応方式変換装置。
【請求項２】
多重化された交換機インタフェース上の信号から、加入者回線毎に、第１のデジタル音声信号と呼制御信号とを分離し、Ｔ１専用線インタフェースからの第２のデジタル音声信号と、ＣＡＳ信号対応の監視信号とを多重化する第１の多重分離部と；
多重化されたＴ１専用線インタフェース上の信号から、加入者回線毎に、第２のデジタル音声信号と第２のＣＡＳ信号とを分離し、交換機インタフェースからの第１のデジタル音声信号と上記呼制御信号対応のＣＡＳ信号とを多重化する第２の多重分離部と；
上記第１の多重分離部からの呼制御信号を、対応する第１のＣＡＳ信号に変換するＳＤ／ＣＡＳ変換部と；
上記第２の多重分離部からの第２のＣＡＳ信号を、対応する監視信号に変換するＣＡＳ／ＳＣＮ変換部と；
上記第１の多重分離部で分離した第１のデジタル音声信号に、呼制御信号情報によって予め設定された減衰量を挿入するＰＡＤ挿入部と；
Ｔ１専用線インタフェースからの上記第２のデジタル音声信号を遮断し、その代わりに、上記ＰＡＤ挿入部から出力された音声信号を、上記第１の多重分離部へ折り返して出力するループバック部と；
を有することを特徴とする加入者回線対応信号方式変換装置。
【請求項３】
デジタル交換機と、上記デジタル交換機における加入者回線対応信号方式とは異なるＴ１専用線方式の通信装置とを接続する加入者回線対応方式変換方法において、
上記デジタル交換機から上記Ｔ１専用線方式の通信装置へ向う多重化信号から、第１のデジタル音声信号と呼制御信号とを、加入者回線毎に分離し、上記分離された第１のデジタル音声信号は変換せずに、上記分離された呼制御信号を対応するＣＡＳ信号に変換し、上記分離された第１のデジタル音声信号と上記変換されたＣＡＳ信号とを再多重化し、Ｔ１専用線インタフェース上に送出し、一方、上記Ｔ１専用線方式の通信装置から上記デジタル交換機へ向う信号から、第２のデジタル音声信号とＣＡＳ信号とを、加入者回線毎に分離し、この分離された第２のデジタル音声信号は変換せずに、上記分離されたＣＡＳ信号をＣＡＳ信号対応の監視信号に変換し、上記第２のデジタル音声信号と上記変換されたＣＡＳ信号対応の監視信号とを再多重化し、交換機インタフェース上に送出することを特徴とする加入者回線対応方式変換方法。
【請求項４】
多重化された交換機インタフェース上の信号から、加入者回線毎に、第１のデジタル音声信号と呼制御信号とを分離し、Ｔ１専用線インタフェースからの第２のデジタル音声信号と、ＣＡＳ信号対応の監視信号とを多重化する第１の多重分離段階と；
多重化されたＴ１専用線インタフェース上の信号から、加入者回線毎に、第２のデジタル音声信号と第２のＣＡＳ信号とを分離し、交換機インタフェースからの第１のデジタル音声信号と上記呼制御信号対応のＣＡＳ信号とを多重化する第２の多重分離段階と；
上記第１の多重分離段階で分離された呼制御信号を、対応する第１のＣＡＳ信号に変換するＳＤ／ＣＡＳ変換段階と；
上記第２の多重分離段階で分離された第２のＣＡＳ信号を、対応する監視信号に変換するＣＡＳ／ＳＣＮ変換段階と；
上記第１の多重分離段階で分離された第１のデジタル音声信号に、呼制御信号情報によって予め設定された減衰量を挿入するＰＡＤ挿入段階と；
Ｔ１専用線インタフェースからの上記第２のデジタル音声信号を遮断し、その代わりに、上記ＰＡＤ挿入段階で出力された音声信号を、上記第１の多重分離段階へ折り返して出力するループバック段階と；
を有することを特徴とする加入者回線対応信号方式変換方法。
【発明の詳細な説明】
【０００１】
【発明の属する技術分野】
本発明は、Ｔ１専用線方式の通信装置を、デジタル交換機に接続する場合における加入者回線対応信号方式に係り、特に、北米仕様であるＴ１専用線方式通信装置ＰＢＸ／ＩＡＤを、ＮＴＴ交換機に接続するために、加入者回線の信号方式を制御する呼制御信号、監視信号等を相互変換する装置とその変換方法とに関する。
【０００２】
【従来の技術】
北米において、電話サービスやインターネット接続等の機能が豊富であり、しかも、初期投資が安価な通信装置として、構内交換機（ＰＢＸ）、統合アクセス装置（ＩＡＤ）が開発されている。
【０００３】
図５は、Ｔ１専用線インタフェース上の多重信号構成を示す図である。
【０００４】
図６は、２４マルチフレーム方式におけるＣＡＳ信号のビット構成例を示す図である。
【０００５】
上記構内交換機（ＰＢＸ）、統合アクセス装置（ＩＡＤ）には、その上位側インタフェースとして、Ｔ１専用線が使用され、加入者回線対応信号として、図５、図６に示すように、ＣＡＳ信号が適用されているものが多い。
【０００６】
一方、日本では、デジタル交換機２０の大半は、Ｔ１専用線方式に対応していない交換機であり、よって、北米製の通信装置ＰＢＸ／ＩＡＤ３０を直接収容することができず、しかも、その加入者回線対応信号が、ＣＡＳ信号とは異なる。
【０００７】
図７は、北米仕様の通信装置ＰＢＸ／ＩＡＤ３０と、日本の標準的デジタル交換機２０とを、従来のＴ１専用線⇔２線式変換装置４０によって接続する場合における構成例を示す図である。
【０００８】
従来は、上記仕様の通信装置ＰＢＸ／ＩＡＤ３０を、日本の標準的デジタル交換機２０に接続する場合、Ｔ１専用線⇔２線式変換装置４０で、Ｔ１専用線インタフェース上の信号を、一旦、加入者回線単位に分離、２線式アナログ信号に変換し、デジタル交換機２０のアナログ加入者回路２２に入力する。
【０００９】
北米仕様の通信装置ＰＢＸ／ＩＡＤ３０に設けられている加入者回路３１で、２線式アナログ信号を、４線式デジタル信号に変換し、多重分離装置３２で多重化された音声信号（端末側の監視信号を含む）は、Ｔ１専用線インタフェースを経て、Ｔ１専用線⇔２線式変換装置４０に送信される。
【００１０】
Ｔ１専用線⇔２線式変換装置４０において、多重分離装置４２が、そのデジタル音声信号を、加入者回線単位に一旦、分離し、その加入者回路４１が、２線式アナログ信号に変換した後に、デジタル交換機２０の２線式アナログ加入者を直接収容するための加入者回路２２に接続する。
【００１１】
デジタル交換機２０の加入者回路２２において、音声信号が、２線式アナログ信号から４線式デジタル信号に再び変換され、デジタル交換機２０の多重分離装置２３で多重化され、デジタル交換機インタフェースを経て、デジタル交換機２０のスイッチ部２４に接続される。
【００１２】
【発明が解決しようとする課題】
上記従来例において、通信装置ＰＢＸ／ＩＡＤ３０に収容されるアナログ電話機を、従来方式でデジタル交換機２０に接続する場合、アナログ電話機を直接デジタル交換機２０に接続する場合と比較すると、Ｔ１専用線⇔２線式変換装置４０におけるアナログ／デジタル変換手段が余分に挿入され、この結果、音声品質の劣化を招くという問題がある。
【００１３】
また、デジタル交換機２０の加入者回路２２の２線式（アナログ）インタフェースには、アナログ端末からの加入者線信号（監視信号、選択信号）を転送する機能しか存在しないので、Ｔ１専用線方式独自の監視信号であるＰＢＸ／ＩＡＤ３０装置内故障や端末側回線断等の情報を、この形態では、デジタル交換機２０側に転送することができないという問題がある。
【００１４】
つまり、上記従来の接続形態では、次の（１）〜（４）の問題が存在する。
【００１５】
（１）加入者がデジタル交換機２０に直接収容される場合と較べると、アナログ／デジタル変換手段が余分に挿入されているので、量子化雑音、回路からの雑音に伴う音声品質の劣化を招くという問題がある。
【００１６】
（２）アナログ／デジタル変換時に、２線式／４線式変換を実行するので、２線式／４線式変換手段が余分に挿入され、したがって、エコーが大きく、その対策が必要であるという問題がある。
【００１７】
（３）Ｔ１専用線上の多重化されたデジタル音声信号・加入者回線対応信号が、Ｔ１専用線⇔２線式変換装置４０によって、加入者回線単位に分離され、デジタル交換機２０の各加入者回路に接続されるので、Ｔ１専用線⇔２線式変換装置４０とデジタル交換機２０とを接続する結線作業が、加入者回線数だけ必要であり、その結線作業が煩雑であるという問題がある。
【００１８】
（４）Ｔ１専用線方式独自の監視信号であるＰＢＸ／ＩＡＤ３０装置内故障や端末側回線断等の情報を、上位のデジタル交換機２０側に転送できないので、故障予知・対応等の保守作業に支障が生じることがあるという問題がある。
【００１９】
本発明は、Ｔ１専用線方式の通信装置ＰＢＸ／ＩＡＤを、日本仕様のデジタル交換機に接続する場合、音声品質が劣化せず、またエコーが増大せず、アナログ変換時に布線作業を必要としない加入者回線対応方式変換装置およびその変換方法を提供することを目的とするものである。
【００２０】
【課題を解決するための手段】
本発明は、デジタル交換機からＴ１専用線方式の通信装置へ向う多重化信号から分離された第１のデジタル音声信号は変換せずに、上記多重化信号から分離された呼制御信号を対応するＣＡＳ信号に変換し、上記分離された第１のデジタル音声信号と上記変換されたＣＡＳ信号とを再多重化し、Ｔ１専用線インタフェース上に送出し、一方、上記Ｔ１専用線方式の通信装置から上記デジタル交換機へ向う信号から加入者回線毎に分離された第２のデジタル音声信号は変換せずに、上記信号から分離されたＣＡＳ信号をＣＡＳ信号対応の監視信号に変換し、上記第２のデジタル音声信号と上記変換されたＣＡＳ信号対応の監視信号とを再多重化し、交換機インタフェース上に送出する加入者回線対応方式変換装置である。
【００２１】
【発明の実施の形態および実施例】
図１は、本発明の第１の実施例である加入者回線対応方式変換装置１０と、デジタル交換機（日本仕様）２０と、ＰＢＸ／ＩＡＤ３０とを示すブロック図である。
【００２２】
加入者回線対応方式変換装置１０は、信号方式変換部１１と、第１の多重分離部１２と、第２の多重分離部１３とを有する。
【００２３】
第１の多重分離部１２は、デジタル交換機インタフェース側に設けられ、従来の変換装置４０に設けられているデジタル／アナログ変換手段を省略し、デジタル音声信号のまま、デジタル交換機インタフェース５０に直接接続する。また、デジタル交換機インタフェース５０上の多重化信号から、加入者回線毎に、呼制御信号（ＳＤ信号）と、デジタル音声信号（Ｂｃｈ信号）とを分離する機能を有し、Ｔ１専用線インタフェース６０から分離・変換された監視信号（ＳＣＮ信号）とデジタル音声信号とを多重化し、デジタル交換機インタフェース５０に送信する機能を有する。
【００２４】
つまり、第１の多重分離部１２は、多重化された交換機インタフェース上の信号から、加入者回線毎に、第１のデジタル音声信号と呼制御信号とを分離し、Ｔ１専用線インタフェースからの第２のデジタル音声信号と、ＣＡＳ信号対応の監視信号とを多重化する第１の多重分離部の例である。
【００２５】
第２の多重分離部１３は、Ｔ１専用線インタフェース６０側に設けられ、Ｔ１専用線インタフェース６０上の多重化信号から、ＣＡＳ信号（加入者回線対応信号）とデジタル音声信号とを、加入者回線毎に、分離する機能を有し、また、デジタル交換機インタフェース５０から分離・変換されたＣＡＳ信号とデジタル音声信号とを多重化し、Ｔ１専用線インタフェース６０に送信する機能を有する。
【００２６】
つまり、第２の多重分離部１３は、多重化されたＴ１専用線インタフェース上の信号から、加入者回線毎に、第２のデジタル音声信号と第２のＣＡＳ信号とを分離し、交換機インタフェースからの第１のデジタル音声信号と上記呼制御信号対応のＣＡＳ信号とを多重化する第２の多重分離部の例である。
【００２７】
信号方式変換部１１は、第１の多重分離部１２と第２の多重分離部１３との間に設けられ、Ｔ１専用線インタフェース６０側の加入者回線対応信号（ＣＡＳ信号）とデジタル交換機インタフェース５０側の加入者回線対応信号（ＳＤ信号、ＳＣＮ信号）との相互変換を行う。
【００２８】
また、信号方式変換部１１は、呼制御信号の制御によって、加入者回線毎に設定されている減衰量を、デジタル交換機２０からＴ１専用線インタフェース６０に向かうＢｃｈ信号に与え、これによって、エコーを減少する。
【００２９】
加入者回線対応方式変換装置１０を、Ｔ１専用線インタフェース６０と、デジタル交換機インタフェース５０との間に介在させることによって、音声信号をデジタル信号に維持しつつ、北米仕様のＰＢＸ／ＩＡＤ３０と日本仕様のデジタル交換機２０とを接続することができる。
【００３０】
図２は、加入者回線対応方式変換装置１０の具体的構成を示す機能ブロック図である。
【００３１】
信号方式変換部１１は、ＳＤ／ＣＡＳ変換部１１１と、ＣＡＳ／ＳＣＮ変換部１１２と、ＰＡＤ挿入部１１３と、ループバック部１１４と、ＰＡＤ挿入部１１５とを有する。
【００３２】
ＳＤ／ＣＡＳ変換部１１１は、呼制御信号（ＳＤ信号）を、第１のＣＡＳ信号に変換する手段である。つまり、ＳＤ／ＣＡＳ変換部１１１は、第１の多重分離部からの呼制御信号を、対応する第１のＣＡＳ信号に変換するＳＤ／ＣＡＳ変換部の例である。
【００３３】
ＣＡＳ／ＳＣＮ変換部１１２は、第２のＣＡＳ信号を、対応するＳＣＮ信号に変換する手段である。つまり、ＣＡＳ／ＳＣＮ変換部１１２は、第２の多重分離部からの第２のＣＡＳ信号を、対応するＳＣＮ信号に変換するＣＡＳ／ＳＣＮ変換部の例である。
【００３４】
ＰＡＤ挿入部１１３は、デジタル交換機２０からＰＢＸ／ＩＡＤ３０へ向かう第１のＢｃｈ信号（デジタル音声信号）に、一定の減衰量を与える手段である。つまり、ＰＡＤ挿入部１１３は、第１の多重分離部で分離した第１のデジタル音声信号に、呼制御信号情報によって予め設定された減衰量を挿入するＰＡＤ挿入部の例である。
【００３５】
ＰＡＤ挿入部１１５は、ＰＢＸ／ＩＡＤ３０からデジタル交換機２０へ向かう第２のデジタル音声信号に、一定の減衰量を与える手段である。
【００３６】
ループバック部１１４は、呼制御信号によってデジタル音声信号の折り返し制御を行う手段である。つまり、ループバック部１１４は、Ｔ１専用線インタフェースからの上記第２のデジタル音声信号を遮断し、その代わりに、上記ＰＡＤ挿入部１１３から出力された音声信号を、上記第１の多重分離部へ折り返して出力するループバック部の例である。
【００３７】
図３は、アナログ加入者収容時におけるデジタル交換機インタフェース５０上の多重信号構成を示す図である。
【００３８】
１加入者当りに与えられる１フレーム４バイト中、アナログ加入者の場合は、＃１バイト（デジタル音声信号用）と＃４バイト（加入者回線対応信号用）とのみを使用している。なお、ＩＳＤＮ加入者の場合は、全バイトを使用する。
【００３９】
図４は、アナログ加入者収容時における＃４バイトのビットパターン例を示す図である。
【００４０】
従来方式のＴ１専用線⇔２線式変換装置４０の場合は、アナログ加入者収容時と同様に、ＳＣＮ信号として、オンフック、オフフックの２個の状態しか、デジタル交換機２０側へ転送できない。
【００４１】
しかし、加入者回線対応方式変換装置１０の場合、端末側回線断、ＰＢＸ／ＩＡＤ３０の装置内故障等、Ｔ１専用線方式独自の監視信号に対応するビットパターンが、ＳＣＮ信号に追加され、これら追加されたビットパターンが、デジタル交換機２０側へ転送される。
【００４２】
図５は、Ｔ１専用線インタフェース６０上の多重信号構成を示す図である。
【００４３】
１チャンネル８ビットの２４チャンネルが、１フレームに構成され、Ｔ１専用線方式の加入者回線対応信号であるＣＡＳ信号は、１２マルチフレーム方式または２４マルチフレーム方式で転送される。
【００４４】
図５に示すように、２４マルチフレーム方式におけるＣＡＳ信号の転送方法によって、各チャンネルとも６フレーム目の最下位ビットＡ、１２フレーム目の最下位ビットＢ、１８フレーム目の最下位ビットＣ、２４フレーム目の最下位ビットＤの４ビットを、ＣＡＳ信号の転送に使用している。
【００４５】
図６は、２４マルチフレーム方式におけるＣＡＳ信号のビット構成例を示す図である。
【００４６】
図６には、ＣＡＳ信号のビット構成に対応するデジタル交換機２０側のＳＤ／ＳＣＮ信号が示されている。
【００４７】
次に、以上の内容をまとめながら、上記機能がどのようにして実現されるかについて、説明する。
【００４８】
図３に示すデジタル交換機インタフェース５０上の信号は、図２に示すように、第１の多重分離部１２で加入者回線毎に、呼制御信号と第１のデジタル音声信号とに分離される。呼制御信号（図４参照）は、ＳＤ／ＣＡＳ変換部１１１において、対応するＣＡＳ信号（図６参照）に変換され、第１のデジタル音声信号は、ＰＡＤ挿入部１１３において、呼制御信号の制御（減衰指示）によって加入者回線毎に予め設定された減衰量に従い、その音声レベルを減衰される。
【００４９】
これらの呼制御信号、第１のデジタル音声信号は、第２の多重分離部１３において、再び多重化され、Ｔ１専用線インタフェース６０上に送出される。
【００５０】
一方、Ｔ１専用線インタフェース６０上の信号は、第２の多重分離部１３において、加入者回線毎に、第２のＣＡＳ信号、第２のデジタル音声信号に分離され、第２のＣＡＳ信号（図６参照）は、ＣＡＳ／ＳＣＮ変換部１１２において、対応するＳＣＮ信号に変換され、第２のデジタル音声信号は、通常のそのままの形で、第１の多重分離部１２において多重化され、デジタル交換機インタフェース５０上に送出される。
【００５１】
ただし、第２のデジタル音声信号に対してもその音声レベルを減衰したい場合は、第１のデジタル音声信号と同様に、ＰＡＤ挿入部１１５（点線で示す）において、呼制御信号の制御によって減衰することができる。また、ＰＡＤ挿入部１１５は、ループバック部１１４の第２の多重分離部側に設置することも可能である。
【００５２】
ループバック部１１４で、デジタル音声信号を折り返しする場合、呼制御信号のループバック制御（図４参照）によって、加入者回線単位に、または一括して、実行することができる。なお、第１のデジタル音声信号の場合は、図２に示す実線のパスで折り返され、第２のデジタル音声信号の場合は、図２に示す点線のパスで折り返される。これによって、加入者回線対応方式が互いに異なるＰＢＸ／ＩＡＤ３０とデジタル交換機２０との間を、デジタル音声信号のままで、接続することができる。
【００５３】
上記実施例は、デジタル交換機２０からＴ１専用線方式装置への信号については、多重化されたデジタル交換機インタフェース５０から、加入者回線毎に、デジタル音声信号と加入者回線対応信号とを分離し、逆に、Ｔ１専用線方式装置からデジタル交換機２０への信号については、多重化されたＴ１専用線インタフェース６０から、加入者回線毎に、デジタル音声信号と加入者回線対応信号とを分離し、対応する加入者回線間で、デジタル信号のまま、方式相互間の信号変換を行う。
【００５４】
すなわち、上記実施例によれば、デジタル交換機２０からＴ１専用線方式装置へのデジタル音声信号については、加入者回線毎に呼制御信号を基に設定される減衰量を挿入するので、Ｔ１専用線方式の端末側の２線式／４線式変換手段によって生ずるエコーを減少することができる。
【００５５】
さらに、上記実施例によれば、デジタル交換機２０からＴ１専用線方式装置への加入者回線対応信号については、デジタル交換機インタフェース５０上の呼制御信号を、対応するＴ１専用線インタフェース６０上のＣＡＳ信号に変換し、また、Ｔ１専用線方式装置からデジタル交換機２０への加入者回線対応信号については、Ｔ１専用線インタフェース６０上のＣＡＳ信号を、対応するデジタル交換機インタフェース５０上の監視信号（ＳＣＮ信号）に変換するので、Ｔ１専用線方式独自の監視信号であるＰＢＸ／ＩＡＤ３０の装置内故障や端末側回線断等の情報を、上位のデジタル交換機２０側に転送することができる
また、上記実施例によれば、デジタル交換機２０と、その変換装置との間における加入者伝送路の導通を確認する手段として、ループバック部１１４を有し、呼制御信号によってこの折り返し制御を行うので、保守機能が向上される。
【００５６】
つまり、音声信号については、アナログ／デジタル変換せずに、デジタル音声信号のまま両方式間で授受を行うので、上記従来の問題である量子化雑音、回路からの雑音に伴う音声品質の劣化、大きなエコーが発生せず、また、Ｔ１専用線⇔２線式変換装置４０とデジタル交換機２０とを接続する結線作業を必要としない。
【００５７】
【発明の効果】
本発明によれば、Ｔ１専用線方式のＰＢＸ／ＩＡＤを、日本仕様のデジタルデジタル交換機２０に接続する場合、以下の効果を奏する。
【００５８】
（１）異なる信号方式間で、ディジタル信号のまま、音声信号を相互変換できるので、音声品質の劣化を防止することができる。
【００５９】
（２）音声信号を加入者回線単位に選択し、上り／下り方向に対して、任意に減衰を付加できるので、エコー対策が容易である。
【００６０】
（３）加入者の音声信号を、個別または一括で、上位側／下位側に折り返すことによって、導通確認、入出力レベル測定等、開通試験作業を効率化することができる。
【図面の簡単な説明】
【図１】本発明の第１の実施例である加入者回線対応方式変換装置１０と、デジタル交換機（日本仕様）２０と、ＰＢＸ／ＩＡＤ３０（北米仕様）とを示すブロック図である。
【図２】加入者回線対応方式変換装置１０の具体的構成を示す機能ブロック図である。
【図３】アナログ加入者収容時におけるデジタル交換機インタフェース５０上の多重信号構成を示す図である。
【図４】アナログ加入者収容時における＃４バイトのビットパターン例の図である。
【図５】Ｔ１専用線インタフェース上の多重信号構成を示す図である。
【図６】２４マルチフレーム方式におけるＣＡＳ信号のビット構成例を示す図である。
【図７】北米仕様の通信装置ＰＢＸ／ＩＡＤ３０と、日本の標準的デジタル交換機２０とを、従来のＴ１専用線⇔２線式変換装置４０によって接続する場合における構成例を示す図である。
【符号の説明】
１０…加入者回線対応方式変換装置、
１１…信号方式変換部、
１１１…ＳＤ／ＣＡＳ変換部、
１１２…ＣＡＳ／ＳＣＮ変換部、
１１３…第１のデジタル音声信号に対するＰＡＤ挿入部、
１１４…ループバック部、
１１５…第２のデジタル音声信号に対するＰＡＤ挿入部、
１２…第１の多重分離部、
１３…第２の多重分離部、
２０…デジタル交換機（日本仕様）、
２１…スイッチ部、
３０…ＰＢＸ／ＩＡＤ（北米仕様）、
３１…加入者回路、
３２…多重分離装置、
５０…交換機インタフェース、
６０…Ｔ１専用線インタフェース、
ＰＢＸ…構内交換機、
ＩＡＤ…統合アクセス装置、
Ｂｃｈ音声信号…デジタル音声信号、
ＳＤ信号…呼制御信号、
ＳＣＮ信号…監視信号、
ＣＡＳ信号…加入者回線対応信号。
【図１】
2004007224.tif 000003
【図２】
2004007224.tif 000004
【図３】
2004007224.tif 000005
【図４】
2004007224.tif 000006
【図５】
2004007224.tif 000007
【図６】
2004007224.tif 000008
【図７】
2004007224.tif 000009